(57)【要約】【課題】利用者の安全性や快適性を向上できる車椅子を提供する。【解決手段】車椅子１は、台車部２０と、台車部２０に対して分離可能な椅子部１０と、を備える。椅子部１０は、座面部１１と、座面部１１から引き出し可能な足受け部１４と、足受け部１４が引き出された状態において、足受け部１４と座面部１１との間の隙間を塞ぐ塞ぎ手段３０と、を有する。【選択図】図４
2014188200.tif 000002
【特許請求の範囲】
【請求項１】
台車部と、
前記台車部に対して分離可能な椅子部と、
を備える車椅子であって、
前記椅子部は、
座面部と、
前記座面部から引き出し可能な足受け部と、
前記足受け部が引き出された状態において、前記足受け部と前記座面部との間の隙間を塞ぐ塞ぎ手段と、
を有することを特徴とする車椅子。
【請求項２】
前記足受け部は、互いに略平行に離間配置されるとともに前記座面部にスライド移動可能に支持される一対の棒状部材の一端部側に設けられていることを特徴とする請求項１に記載の車椅子。
【請求項３】
前記塞ぎ手段は、前記一対の棒状部材に着脱可能な板部材で構成されていることを特徴とする請求項２に記載の車椅子。
【請求項４】
前記板部材には、前記一対の棒状部材を嵌め込み保持する一対の保持部が含まれていることを特徴とする請求項３に記載の車椅子。
【請求項５】
前記板部材は、前記足受け部の出し入れ方向に傾斜した傾斜面を含むことを特徴とする請求項３又は４に記載の車椅子。
【請求項６】
前記板部材には、少なくとも１つの貫通穴が設けられていることを特徴とする請求項３から５のいずれかに記載の車椅子。
【請求項７】
前記塞ぎ手段は、前記足受け部の引き出し操作に連動して、前記足受け部と前記座面部との間の隙間を塞ぐことを特徴とする請求項１又は２に記載の車椅子。
【発明の詳細な説明】
【技術分野】
【０００１】
本発明は車椅子に関し、特に、体が不自由で介助が必要な者（以下、要介助者と記載する）が入浴の際に使用するのに好適な車椅子に関する。
【背景技術】
【０００２】
従来、高齢者や身体障害者等の要介助者が、車椅子から降りることなく浴槽内に入るための車椅子（入浴用車椅子）が開発されている（例えば特許文献１参照）。特許文献１に開示される入浴用車椅子は、キャスターを備える脚部と、脚部の上側に設けられる座部と、が分離可能に設けられている。
【０００３】
特許文献１に開示される入浴用車椅子は、入浴の際に、入浴者を乗せた座部がリフターの旋回アームで吊り上げられることによって、座部が脚部から分離される。そして、入浴者を乗せた座部が所定角度旋回された後に下降されることによって、座部に座った入浴者は浴槽内の湯に浸かれる。
【先行技術文献】
【特許文献】
【０００４】
【特許文献１】特開平１０−２７７１１９号公報
【発明の概要】
【発明が解決しようとする課題】
【０００５】
ところで、特許文献１に開示される入浴用車椅子は、入浴者が足を前方に投げ出した姿勢を容易にとれるように、座部にスライド可能な足受けが設けられている。足受けは、入浴の際に引き出され、通常は邪魔にならないように引っ込められている。座部が浴槽に入れられる前に足受けを引き出しておけば、介助者（介助を行う者）は、座部が浴槽内へと入れられる際に入浴者の足を持ち上げておく必要がない。すなわち、座部に足受けを設けることによって、介助者の労力を軽減することができる。
【０００６】
従来の、座部に設けられる足受けは、座部にスライド可能に取り付けられる２本の支軸の先端に取り付けられた構造になっている。このような構造の場合、足受けが引き出された状態において、入浴者が座る座面部分と足受けの間に隙間（空間）が生じる。そして、この隙間に、入浴者の足が入いってしまう（落ちてしまう）ことが考えられる。また、入浴者がスライド可能な支軸を握ってしまい、その結果、怪我につながることも考えられる。更に、このような隙間は、下を見え易くしてしまうために、例えば座部の昇降時等に、座部に座る入浴者に恐怖感を与えるといったことも考えられる。
【０００７】
以上の点に鑑みて、本発明の目的は、利用者の安全性や快適性を向上できる車椅子を提供することである。
【課題を解決するための手段】
【０００８】
上記目的を達成するために本発明の車椅子は、台車部と、前記台車部に対して分離可能な椅子部と、を備える車椅子であって、前記椅子部は、座面部と、前記座面部から引き出し可能な足受け部と、前記足受け部が引き出された状態において、前記足受け部と前記座面部との間の隙間を塞ぐ塞ぎ手段と、を有する構成（第１の構成）になっている。
【０００９】
本構成の車椅子は、足受け部が引き出された状態において、足受け部と座面部との間の隙間（空間）を塞ぐ塞ぎ手段を有する構成になっている。このために、足受け部が引き出された状態において、座面部に座る着座者の足が足受け部から落ちることを防止できる。また、本構成の車椅子においては、塞ぎ手段によって、座面部に座った着座者の下方への視界を狭めることができる。このために、台車部から分離された椅子部が移動される際に、着座者に与える恐怖感を低減することができる。
【００１０】
上記第１の構成の車椅子において、前記足受け部は、互いに略平行に離間配置されるとともに前記座面部にスライド移動可能に支持される一対の棒状部材の一端部側に設けられている構成（第２の構成）であってよい。本構成によれば、足受け部が引き出されていない状態において、着座者の体の一部（主には陰部）を洗う等の目的で座面部に設けられる貫通穴を塞がない構造を得易い。そして、本構成では、足受け部が引き出された状態において、塞ぎ手段によって、座面部に座る着座者が棒状部材を握り難くできる。このために、本構成によれば、着座者が摺動部分を手で握っていることが原因となって怪我が発生する可能性を低減できる。
【００１１】
上記第２の構成の車椅子において、前記塞ぎ手段は、前記一対の棒状部材に着脱可能な板部材で構成されている構成（第３の構成）であってよい。本構成によれば、座面部を簡単な構造にしつつ、利用者の安全性や快適性を向上し易い。なお、板部材は不透明であるのが好ましい。
【００１２】
上記第３の構成の車椅子において、前記板部材には、前記一対の棒状部材を嵌め込み保持する一対の保持部が含まれている構成（第４の構成）が好ましい。本構成によれば、椅子部が浴槽内の湯の中に沈められた際に浮き難い構造を得易い。
【００１３】
上記第３又は第４の構成の車椅子において、前記板部材は、前記足受け部の出し入れ方向に傾斜した傾斜面を含む構成（第５の構成）であるのが好ましい。本構成によれば、板部材上の水（湯）が流れ落ち易い構造を得られる。
【００１４】
上記第３から第５のいずれかの構成の車椅子において、前記板部材には、少なくとも１つの貫通穴が設けられている構成（第６の構成）が採用されてよい。本構成によれば、板部材上の水（湯）が流れ落ち易い構造を得られる。
【００１５】
上記第１又は第２の構成の車椅子において、前記塞ぎ手段は、前記足受け部の引き出し操作に連動して、前記足受け部と前記座面部との間の隙間を塞ぐ構成（第７の構成）であってよい。本構成によれば、介助者の作業負担の軽減を図れる。
【発明の効果】
【００１６】
本発明によれば、利用者の安全性や快適性を向上できる車椅子を提供できる。
【図面の簡単な説明】
【００１７】
【図１】本発明の第１実施形態に係る車椅子の構成を示す概略斜視図
【図２】本発明の第１実施形態に係る車椅子の構成を示す概略斜視図で、椅子部と台車部とが分離した状態を示す図
【図３】本発明の第１実施形態に係る車椅子において、足受け部が引き出された状態を示す概略斜視図
【図４】本発明の第１実施形態に係る車椅子において、座面部と足受け部との間の隙間を板部材で塞いだ状態を示す概略斜視図
【図５】本発明の第１実施形態に係る車椅子が備える着脱式の板部材の構成を説明するための図
【図６】本発明の第１実施形態に係る車椅子が備える着脱式の板部材の変形例を説明するための図
【図７】本発明の第１実施形態に係る車椅子とセットで使用される入浴装置及び浴槽を上から見た場合の概略平面図
【図８】本発明の第１実施形態に係る車椅子とセットで使用される入浴装置及び浴槽を側面から見た場合の概略平面図
【図９】本発明の第１実施形態に係る車椅子を利用して要介助者を入浴させる場合に行われる一連の動作を説明するための図
【図１０】本発明の第１実施形態に係る車椅子を利用して要介助者を入浴させる場合に行われる一連の動作を説明するための図
【図１１】本発明の第１実施形態に係る車椅子を利用して要介助者を入浴させる場合に行われる一連の動作を説明するための図
【図１２】本発明の第２実施形態に係る車椅子の構成を示す概略斜視図
【図１３】本発明の第２実施形態に係る車椅子が備える蛇腹部材の取り付け構造について説明するための概略図
【図１４】本発明の第２実施形態に係る車椅子の変形例を説明するための概略図
【発明を実施するための形態】
【００１８】
以下、本発明の実施形態に係る車椅子（入浴用車椅子）について、図面を参照しながら詳細に説明する。なお、以下の説明にあたっては、車椅子に座った着座者（要介助者、入浴者）からみて前方となる側を車椅子の前側とし、当該着座者からみて後方となる側を車椅子の後ろ側とし、当該着座者から見て右方となる側を車椅子の右側とし、当該着座者から見て左方となる側を車椅子の左側とする。
＜第１実施形態＞
（車椅子の構成）
【００１９】
図１は、本発明の第１実施形態に係る車椅子１の構成を示す概略斜視図である。図１に示すように、本実施形態の車椅子１は、大きくは、椅子部１０と、台車部２０と、を備える構成になっている。図２に示すように、椅子部１０は、上方に持ち上げられることによって台車部２０から分離可能になっている。なお、椅子部１０は、通常はロック機構（不図示）によるロックによって台車部２０から分離不能になっており、ロック機構によるロックを解除することによって台車部２０から分離できるようになっている。
【００２０】
椅子部１０は、着座者が臀部を載せる座面を含む座面部１１と、座面部１１に着座した着座者の背もたれとなる背もたれ部１２と、を有する。また、椅子部１０は、座面部１１に着座した着座者の肘掛けとなる一対の肘掛け部１３ａ、１３ｂを有する。一対の肘掛け部１３ａ、１３ｂは、いずれも垂直面内を回転可能に設けられている。また、椅子部１０は、座面部１１の下側に配置されて、座面部１１から引き出し可能な足受け部１４を有する。
【００２１】
台車部２０は、図１及び図２に示すように、その下側に、２つの前輪２２ａ、２２ｂと２つの後輪２２ｃ、２２ｂとが取り付けられた台車フレーム２１を備えている。台車部２０は、４つの車輪２２ａ〜２２ｄの存在により、床を走行可能になっている。また、台車フレーム２１の前方左右には、それぞれ、座面部１１に着座した着座者が足を載せる足載せ部（フットレスト部）２３ａ、２３ｂが取り付けられている。
【００２２】
台車フレーム２１の後方には、略逆Ｕ字状の係合フレーム部２１ａが立設されている（図２参照）。椅子部１０と台車部２０とが合体する場合、係合フレーム部２１ａが座面部１１の後方側に設けられる係合穴（不図示）に嵌合された状態となり、座面部１１が台車フレーム２１の支持フレーム部２１ｂ上に載置された状態になる。そして、この状態で、ロック機構によるロックがなされることによって、椅子部１０と台車部２０とが分離不能に合体した状態が得られる。なお、本実施形態では、ロック機構によるロックは、足受け部１４を座面部１１の下側に収容することによって得られ、ロック機構によるロックの解除は、足受け部１４を座面部１１から引き出すことによって得られる構成となっている。
【００２３】
その他、台車フレーム２１には、右側の前後の車輪３０ａ、３０ｃの少し上となる位置に、それぞれ、円板状の位置決め係合部２４ａ、２４ｂが取り付けられている。
【００２４】
図３は、本発明の第１実施形態に係る車椅子１において、足受け部１４が引き出された状態を示す概略斜視図である。座面部１１の左右の端部の下面側には、それぞれ、第１のロッド１５ａと、第２のロッド１５ｂとが、前後方向に移動可能に支持されている。第１のロッド１５ａと第２のロッド１５ｂとは、互いに略平行となるように離間配置されている。なお、一対のロッド１５ａ、１５ｂは、本発明の一対の棒状部材の一例である。
【００２５】
一対のロッド１５ａ、１５ｂの前方側の端部には、足受け部１４が取り付けられている。すなわち、足受け部１４は、一対のロッド１５ａ、１５ｂと共に前後方向に移動可能になっており、座面部１１の下側への収容された状態と、座面部１１から引き出された状態とを選択できるようになっている。
【００２６】
座面部１１の中央部近傍には、座面を貫通する貫通穴１１ａ（上下方向に延びる穴）が設けられている。この貫通穴１１ａは、介助者が座面部１１に着座した着座者の体の一部（主に陰部）を洗い易いように設けられている。上述のように、本実施形態の車椅子１では、足受け部１４が一対のロッド１５ａ、１５ｂの前方側の端部に支持される構成を採用しているために、足受け部１４が座面部１１の下側に収容された場合でも、足受け部１４が貫通穴１１ａを塞がない構造になっている。
【００２７】
ところで、足受け部１４が座面部１１から引き出された状態においては、座面部１１と足受け部１４との間に隙間（空間）Ｓが生じる。この隙間Ｓは、例えば、座面部１１に着座した着座者の足が落下する原因になったり、着座者に恐怖感を与える原因になったりすることが懸念される。このために、本実施形態の車椅子１においては、図４に示すように、着脱式の板部材３０を利用して、足受け部１４が座面部１１から引き出された場合に、隙間Ｓを塞ぐ構成になっている。なお、着脱式の板部材３０は、本発明の塞ぎ手段の一例である。
【００２８】
図５は、本発明の第１実施形態に係る車椅子１が備える着脱式の板部材３０の構成を説明するための図で、図５（ａ）は概略斜視図、図５（ｂ）は図５（ａ）のＡ−Ａ位置における概略断面図である。板部材３０は、特に限定されるものではないが、例えば樹脂によって形成される。なお、板部材３０は、座面部１１に着座した着座した着座者から下が見え難いように不透明に構成されるのが好ましい。
【００２９】
板部材３０は、左右の端部に、それぞれ保持部３１ａ、３１ｂを有する。一対の保持部３１ａ、３１ｂと一対のロッド１５ａ、１５ｂとが対向するように板部材３０を隙間Ｓの上側に配置し、板部材３０を下側に向けて押し付けることによって、一対の保持部３１ａ、３１ｂに一対のロッド１５ａ、１５ｂが嵌め込まれる（図４の状態）。
【００３０】
本実施形態では、保持部３１ａ、３１ｂの下部側に設けられる嵌め込み口３１ｃが、ロッド１５ａ、１５ｂの径よりも若干小さく設けられている。このために、ロッド１５ａ、１５ｂが保持部３１ａ、３１ｂに保持された状態で、板部材３０はロッド１５ａ、１５ｂから簡単に外れない。なお、保持部３１ａ、３１ｂにロッド１５ａ、１５ｂが嵌め込まれる際、及び、保持部３１ａ、３１ｂからロッド１５ａ、１５ｂが取り外される際には、保持部３１ａ、３１ｂは、人力によって弾性変形するために、前述の嵌め込み及び取り外しを行える。
【００３１】
また、板部材３０は、図５（ｂ）に示すように、前後方向（足受け部１４の出し入れ方向）の略中央部Ｃを境として傾斜方向が反対になる第１の傾斜面３２ａと第２の傾斜面３２ｂとを有する。第１の傾斜面３２ａは、前側が低く、後側が高くなっている。第２の傾斜面３２ｂは、前側が高く、後側が低くなっている。これらの傾斜面３２ａ、３２ｂは、板部材３０上の水（湯）が流れ落ち易いように設けられている。
【００３２】
なお、板部材３０上の水を流れ落ち易くする構造は、他の構造であっても構わない。図６は、本発明の第１実施形態に係る車椅子１が備える着脱式の板部材３０の変形例を説明するための図で、図６（ａ）は第１変形例を示す図、図６（ｂ）は第２変形例を示す図である。図６（ａ）に示すように、板部材３０上に設けられる傾斜面は、前後方向のいずれか一方方向にのみ傾斜するものであってもよい。なお、図６（ａ）は、図５（ｂ）と同様の断面図を想定している。
【００３３】
また、板部材３０が前後方向に傾斜する傾斜面を有さない構成にしてもよい。この場合には、例えば、図６（ｂ）に示すように、板部材３０の板面を貫通する貫通穴３３を設けるのが好ましい。貫通穴３３は、１つでもよいが、複数であってもよい。複数の貫通穴３３を設ける場合、例えば、放射状に配列したり、格子状に配列したりしてよい。
（車椅子とセットで使用される入浴装置及び浴槽の構成）
【００３４】
次に、本発明の第１実施形態に係る車椅子１とセットで使用される入浴装置及び浴槽の構成例について説明する。図７は、本発明の第１実施形態に係る車椅子１とセットで使用される入浴装置２００及び浴槽３００を上から見た場合の概略平面図である。図８は、本発明の第１実施形態に係る車椅子１とセットで使用される入浴装置２００及び浴槽３００を側面から見た場合の概略平面図である。なお、図８においては、入浴装置２００及び浴槽３００が配置される浴室の床Ｆと、壁Ｗとも合わせて示している。そして、床Ｆ及び壁Ｗによって実際には見えない部分は、一点鎖線で示している。
【００３５】
図７及び図８に示すように、入浴装置２００は、平面視略矩形状に設けられる浴槽３００の一の外側壁（短手方向に平行な一の側壁）に並設される。入浴装置２００には、車椅子１の椅子部１０を着脱可能な椅子取り付け部２１０が備えられる。この椅子取り付け部２１０は、後述するように、上下方向及び水平方向に移動可能になっている。図７（ａ）と図７（ｂ）とでは、椅子取り付け部２１０の水平方向（Ｘ方向；浴槽３００の短手方向に平行な方向）の位置が異なっている。また、図８（ａ）と図８（ｂ）とでは、椅子取り付け部２１０の上下方向（Ｙ方向）の位置が異なっている。
【００３６】
入浴装置２００は、固定配置される基台部２２０を備えている。また、入浴装置２００は、基台部２２０に対して上下方向に移動可能な昇降部２３０を備えている。更に、入浴装置２００は、昇降部２３０に対して水平方向にスライド移動（詳細にはＸ方向に移動）可能なスライド部２４０を備えている。そして、椅子取り付け部２１０は、スライド部２４０に取り付けられている。このために、椅子取り付け部２１０は、基台部２２０に対して上下方向及び水平方向に移動可能になっている。
【００３７】
なお、昇降部２３０は、例えば油圧装置等を使用したリフト機構を備えるものであってよく、本例では操作部（リモコン等）を操作することによって自動で昇降するように構成されている。また、スライド部２４０は、例えばレールを利用したスライド機構を備えるものであってよく、本例では手動式になっている。本例では、スライド部２４０は、昇降部２３０上に設けられるレール（不図示）に対してスライドする第１のスライド移動部２４１と、第１のスライド移動部２４１に設けられるレール（不図示）に対してスライドする第２のスライド移動部２４２とを備える。このために、椅子取り付け部２１０は、多段階に引き出せるようになっている。ただし、これは一例であり、スライド部２４０は、１つのスライド移動部のみで構成されたり、３つ以上のスライド移動部で構成されたりしてもよい。
【００３８】
浴槽３００は、外形直方体形状に設けられ、内側壁３１１と内底壁３１２とで囲まれた凹部空間３１０を備える。凹部空間３１０に湯を溜めることで、入浴者は湯に浸かる（入浴する）ことができる。凹部空間３１０に湯を溜める方法は特に限定されるものではないが、本例では、浴室の壁Ｗに設けられる蛇口Ｔから湯を出すことによって、凹部空間３１０に湯を溜めることができる（図８参照）。なお、内底壁３１２には、凹部空間３１０に溜めた湯を外部へと排出する排出口３１３が設けられている（図７参照）。
【００３９】
本例では、浴槽３００が配置される領域は、その底面Ｂが浴室の床Ｆよりも低く設けられており、浴槽３００は、この底面Ｂ上に固定配置されている。このために、浴槽３００の床Ｆ（浴室の床）からの高さを低くできるので、入浴者（ここでは車椅子１を使用しない入浴者が想定される）は浴槽３００の側壁を難なく跨いで入浴することができる。なお、本例では、入浴装置２００を構成する基台部２２０も底面Ｂ上に固定配置されている。
【００４０】
その他、浴槽３００の長手方向の外側壁３２０には、一対の溝部３２１ａ、３２１ｂが設けられている。一対の溝部３２１ａ、３２１ｂは、車椅子１に設けられる一対の位置決め係合部２４ａ、２４ｂと協働して、車椅子１の位置を位置決めする機能を発揮する。
（車椅子の使用例）
【００４１】
次に、本発明の第１実施形態に係る車椅子１の使用例について説明する。具体的には、本発明の第１実施形態に係る車椅子１に乗った要介助者を、入浴装置２００及び浴槽３００を使って入浴させる場合の使用例について説明する。図９〜図１１は、いずれも、本発明の第１実施形態に係る車椅子１を利用して要介助者を入浴させる場合に行われる一連の動作を説明するための図である。なお、図９、図１０、図１１の順に、一連の動作は進行する。
【００４２】
まず、要介助者Ｍが乗せられた車椅子１が、介助者によって浴室に運ばれて来る。そして、車椅子１の右側面が、浴槽３００の長手方向の外側壁３２０に対向するように配置される。そして、車椅子１に設けられる一対の位置決め係合部２４ａ、２４ｂが、浴槽３００に設けられる一対の溝部３２１ａ、３２１ｂに嵌め込まれることによって、車椅子１の位置決めが行われる。図９は、この位置決めが行われた状態を示している。
【００４３】
なお、車椅子１が浴室に運ばれて来る段階では、足受け部１４は座面部１１の下側に収納されている。足受け部１４は、例えば、上述の位置決めが行われた段階で、座面部１１の下側から引き出される。足受け部１４が引き出されることにより、要介助者Ｍの足が足受け部１４に載せられる。
【００４４】
また、足受け部１４が引き出された後に、板部材３０が一対のロッド１５ａ、１５ｂに取り付けられる（図４も参照）。板部材３０が座面部１１と足受け部１４との間の隙間Ｓ（図３参照）を塞ぐために、要介助者Ｍの足が足受け部１４から隙間Ｓに落ちることを防止できる。また、板部材３０の存在によって、要介助者Ｍがロッド１５ａ、１５ｂを握り難くなっている。このために、要介助者Ｍが摺動部分を手で握っていることが原因となって怪我が発生する可能性を低減できる。
【００４５】
また、足受け部１４を引き出す動作によって、上述のようにロック機構のロック状態が解除され、椅子部１０と台車部２０とが分離可能な状態が得られる。
【００４６】
次に、介助者は、スライド部２４０を利用して、椅子取り付け部２１０を手前側に引き出す（図７（ｂ）の状態が該当する）。そして、介助者は、例えばリモコン等の操作部（不図示）を操作して昇降部２３０を上昇させる。これにより、椅子取り付け部２１０も上昇し、椅子取り付け部２１０と、背もたれ部１２の背面側に設けられる側面視略逆Ｌ字状の係合フック１６とが係合を開始する。椅子取り付け部２１０の上昇が更に続けられることによって、椅子部１０が持ち上げられて、椅子部１０と台車部２０とが分離される。図１０は、この分離状態を示している。
【００４７】
なお、椅子取り付け部２１０に椅子部１０が取り付けられた場合において、椅子取り付け部２１０から椅子部１０が脱落しないように、ロック機構が設けられるのが好ましい。また、板部材３０の存在によって、座面部１１に座った要介助者Ｍからは下が見え難くなっている。このために、入浴装置２００によって椅子部１０が移動される際に、要介助者Ｍに与える恐怖感を低減できる。
【００４８】
要介助者Ｍを乗せた椅子部１０が、所定の高さ（浴槽３００の上面より高い位置である）まで持ち上げられると、介助者は、スライド部２４０を利用して、椅子部１０が取り付けられた椅子取り付け部２１０を奥側に押し込む。そして、介助者は、リモコン等の操作部を操作して昇降部２３０を下降させる。椅子部１０が椅子取り付け部２１０とともに所定の位置まで下降されることによって、湯が溜められた凹部空間３１０内に要介助者Ｍが移動される。図１１は、この状態を示している。板部材３０は、保持部３１ａ、３１ｂによってロッド１５ａ、１５ｂから外れ難くなっているので、湯に浸けられた場合でもロッド１５ａ、１５ｂから外れる可能性が低い。
【００４９】
要介助者Ｍが浴槽３００の凹部空間３１０外へと運び出される場合には、以上と反対の動作が行われる。足受け部１４が、座面部１１の下側に収納される前に、板部材３０はロッド１５ａ、１５ｂから取り外される。
【００５０】
なお、車椅子１と入浴装置２００とを組み合わせて使用することによって、例えば中度から重度の要介助者を、容易に、また、高い安全性のもと、浴槽３００内の湯に浸からせることができる。また、入浴装置２００の椅子取り付け部２１０は、スライド部２４０によるスライド方向と平行な方向に延びる環状構造となっている。このために、浴槽３００側に突出する量が少なく、車椅子１を使用しない軽度の要介助者や健常者に対して圧迫感を与えない。更には、椅子取り付け部２４０は、椅子部１０が取り外された状態で手すりとして利用できる。このために、入浴装置２００は、軽度の要介助者等にとっても使い勝手がよい構成になっている。
＜第２実施形態＞
【００５１】
次に、本発明の第２実施形態に係る車椅子について説明する。第２実施形態に係る車椅子の構成は、第１実施形態の車椅子の構成と概ね同じである。以下、第１実施形態の構成と異なる部分に絞って説明する。また、第１実施形態と重複する部分については、同一の符号を付し、特に必要でない場合には、その説明を省略する。
【００５２】
図１２は、本発明の第２実施形態に係る車椅子２の構成を示す概略斜視図である。図１２に示す車椅子２は、足受け部１４が座面部１１から引き出された状態になっている。第２実施形態に係る車椅子２においては、座面部１１と足受け部１４との間の隙間Ｓ（図３参照）は、蛇腹部材４０によって塞がれる構成になっている。蛇腹部材４０は不透明であるのが好ましい。なお、蛇腹部材４０は、本発明の塞ぎ手段の一例である。
【００５３】
図１３は、本発明の第２実施形態に係る車椅子２が備える蛇腹部材４０の取り付け構造について説明するための図で、蛇腹部材４０の周辺を拡大して示した概略側面図である。図１２（ａ）は蛇腹部材４０が縮んだ状態を示し、図１２（ｂ）は蛇腹部材４０が伸びた状態を示している。
【００５４】
蛇腹部材４０は、前端部が足受け部１４に固着されている。また、蛇腹部材４０は、後端部が座面部１１の下面側に設けられる固定部４１に固着されている。なお、蛇腹部材４０は、ロッド１５ａ、１５ｂには固定されていない。足受け部１４が引き出されると、それに連動して蛇腹部材４０は伸びた状態になり、座面部１１と足受け部１４との間の隙間Ｓを塞ぐ。
【００５５】
一方、引き出された足受け部１４が座面部１１の下側に収納される際には、蛇腹部材４０は縮んだ状態になるために、大きなスペースを取ることなく座面部１１の下側に収納される。蛇腹部材４０が縮んだ状態において、蛇腹部材４０が座面部１１に設けられる貫通穴１１ａを塞がないように、蛇腹部材４０及び固定部４１は構成されている。なお、蛇腹部材４０には、その上の水が流れ落ち易くなるように、例えば貫通穴が設けられてよい。
【００５６】
第２実施形態の構成においても、足受け部１４の引き出し操作に連動する蛇腹部材４０の存在によって、座面部１１と足受け部１４との間の隙間Ｓが塞がれるために、要介助者Ｍの足が足受け部１４から落ちることを防止できる。また、蛇腹部材４０の存在によって、要介助者Ｍがロッド１５ａ、１５ｂを握り難くなっている。このために、要介助者Ｍが摺動部分を手で握っていることが原因となって怪我が発生する可能性を低減できる。更に、蛇腹部材４０の存在によって、座面部１１に座った要介助者Ｍからは下が見え難くなっている。このために、入浴装置２００によって椅子部１０が移動される際に、要介助者Ｍに与える恐怖感を低減できる。
【００５７】
なお、以上においては、足受け部１４の引き出し操作に連動して座面部１１と足受け部１４との間の隙間Ｓを塞ぐ手段として、蛇腹部材４０が用いられた。しかし、これに限定される趣旨ではなく、蛇腹部材４０に代えて、例えば図１４に示すようなロールカーテン５０が用いられても構わない。
【００５８】
ロールカーテン５０は、その筐体５１が座面部１１の下面側に設けられる支持部５２によって支持された状態で、座面部１１の下側に配置されている。筐体５１内には、巻き取られる方向に力（スプリングによる力）を受けたロール状の布５３が内蔵されている。布５３は、筐体５１に設けられるスリット（不図示）より外部に引き出し可能になっている。そして、布５３の先端は、足受け部１４に固着されている。なお、布５３は不透明であるのが好ましい。また、図１４（ａ）は、布５３が巻き取られた状態を示し、図１４（ｂ）は、布５３が引き出された状態を示している。
【００５９】
この構成によれば、足受け部１４が引き出されると、それに連動して布５３が引き出され、座面部１１と足受け部１４との間の隙間Ｓが塞がれる（図１４（ｂ）参照）。このために、上述の蛇腹部材４０と同様に、要介助者の安全性の向上等を図れる。なお、足受け部１４が引き出された状態を維持できるように、例えば、座面部１１にロック機構を設けてもよいし、ロールカーテン５０がラチェット機構を備えるようにしてもよい。ラチェット機構を備える場合、回転を止めるストッパーの機能を解除する解除手段を設けるようにすればよい。足受け部１４を座面部１１の下に収納した状態において、布５３はロール状に巻き取られており、ロールカーテン５０が座面部１１に設けられる貫通穴１１ａ（例えば図１２等参照）を塞ぐことはない。
＜その他＞
【００６０】
以上に示した実施形態は本発明の例示であり、本発明の適用範囲は、以上に示した実施形態の構成に限定されるものではない。本発明の技術思想を超えない範囲で、種々の変更が行われてよい。また、本発明は、入浴用車椅子に対して好適であるが、その他の用途に使用される車椅子に適用されても勿論構わない。
【符号の説明】
【００６１】
１、２  車椅子
１０  椅子部
１１  座面部
１４  足受け部
１５ａ、１５ｂ  棒状部材
２０  台車部
３０  板部材（塞ぎ手段）
３１ａ、３１ｂ  保持部
３２ａ、３２ｂ  傾斜面
３３  貫通穴
４０  蛇腹部材（塞ぎ手段）
５０  ロールカーテン（塞ぎ手段）
Ｓ  隙間
【図１】
2014188200.tif 000003
【図２】
2014188200.tif 000004
【図３】
2014188200.tif 000005
【図４】
2014188200.tif 000006
【図５】
2014188200.tif 000007
【図６】
2014188200.tif 000008
【図７】
2014188200.tif 000009
【図８】
2014188200.tif 000010
【図９】
2014188200.tif 000011
【図１０】
2014188200.tif 000012
【図１１】
2014188200.tif 000013
【図１２】
2014188200.tif 000014
【図１３】
2014188200.tif 000015
【図１４】
2014188200.tif 000016